(57)【要約】【課題】遊技台の規制及びその解除を容易に行うことを可能にし、遊技台の傾斜調整を可能にする遊技台固定装置および遊技台島を提供する。【解決手段】遊技台規制装置２及び遊技台島１は、第１のユニット１０Ａ，１０Ｂ及び第２のユニット２０Ａ，２０Ｂを備え、第１のユニット１０Ａ，１０Ｂは係合部１１Ａ，１１Ｂを有し、第２のユニット２０Ａ，２０Ｂは被係合部２２Ａ，２２Ｂを有している。係合部１１Ａ，１１Ｂと被係合部２２Ａ，２２Ｂとの係合により遊技台４０を規制するので、容易に遊技台４０を規制することが可能になり、遊技台の枠体に孔を設けたり押圧したりしないので、枠体の劣化を防止することができる。【選択図】図１
2017029685.tif 000002
【特許請求の範囲】
【請求項１】
遊技台を少なくとも１つ以上並べて配置する遊技台島に対して、前記遊技台の移動を規制する遊技台規制装置であって、
前記遊技台または前記遊技台島のいずれか一方に設けられ、移動可能な係合部を有する第１のユニットと、
前記遊技台または前記遊技台島の他方に設けられ、前記係合部に係合される被係合部を有する第２のユニットと、を備え、
前記係合部は、前記被係合部と係合していない第１位置から、前記被係合部と係合する第２位置へ移動して前記被係合部と係合することで前記遊技台の動きを規制する、
ことを特徴とする遊技台規制装置。
【請求項２】
前記第１のユニットは、前記遊技台島に設けられ、
前記遊技台の盤面に対して略直交する方向を回転軸とする軸部材と、
前記軸部材を回転可能に軸支するベースと、を備え、
前記軸部材の一端は前記ベースに軸支され、他端には前記係合部が設けられ、
前記第２のユニットは、前記遊技台に設けられ、
前記遊技台が設置される前記遊技台島の設置面に対して略平行に形成されたプレートを備え、
前記プレートには、溝状または切欠き状の前記被係合部が設けられ、
前記軸部材の回転により、前記係合部が前記第１位置から前記第２位置へ移動して前記被係合部に係合される、
ことを特徴とする請求項１に記載の遊技台規制装置。
【請求項３】
前記ベースは、
前記遊技台の盤面に対して略直交する方向で、前記遊技台島に対して前記ベースを移動させるスライド機構と、
操作されることにより前記スライド機構を動作させる操作部と、を備え、
前記操作部の操作により、前記第２のユニットが設けられた前記遊技台の前記遊技台島に対する位置が変化する、
ことを特徴とする請求項２に記載の遊技台規制装置。
【請求項４】
前記軸部材の側面には、突起部が設けられ、
前記ベースは、
前記突起部を案内するガイド部と、
前記突起部の回転角度を規制する規制部と、
を備えたことを特徴とする請求項２または３のいずれか１項に記載の遊技台規制装置。
【請求項５】
前記軸部材には、
前記軸部材の軸線と直交する面に第１の摺設面を有する第１の摺設部材が設けられ、
前記ベースには、
前記第１の摺設面と摺設するように第２の摺設面を有する第２の摺設部材が設けられ、
前記第１の摺設面または前記第２の摺設面のいずれか一方に凹部が設けられ、前記第１の摺設面または前記第２の摺設面の他方に凸部が設けられている、
ことを特徴とする請求項２ないし４のいずれか１項に記載の遊技台規制装置。
【請求項６】
前記第２のユニットには、前記被係合部が前記係合部に係合されているときに、前記係合部を前記被係合部へ押し付ける押圧機構が設けられ、
前記押圧機構は、
前記係合部に接触して押圧する押圧部と、
前記押圧部を、前記係合部に接触している位置と、前記係合部から離間した位置と、の間を移動させる本体部と、
を備えたことを特徴とする請求項１ないし５のいずれか１項に記載の遊技台規制装置。
【請求項７】
前記第２のユニットには、前記被係合部が前記係合部に係合されているときに、前記係合部を係止する係止機構が設けられ、
前記係止機構は、
前記係合部に設けられた溝部を係止する係止部と、
前記係止部を、前記溝部を係止している位置と、前記溝部から離間した位置と、の間を移動させる本体部と、
を備えたことを特徴とする請求項１ないし５のいずれか１項に記載の遊技台規制装置。
【請求項８】
前記第１のユニットは、前記遊技台島に設けられ、
前記第１のユニットには、前記遊技台の盤面側と反対の裏側方向へ突出するように、前記遊技台島に前記遊技台を取り付ける際に前記遊技台の位置決めを行う位置決め部が設けられ、
前記第２のユニットは、前記遊技台に設けられ、
前記被係合部が前記位置決め部に当接して位置決めが行われると、
前記係合部と前記位置決め部が、前記被係合部を挟持して前記第２のユニットの移動を規制する、
ことを特徴とする請求項１に記載の遊技台規制装置。
【請求項９】
前記係合部は、
前記被係合部と前記位置決め部とが当接する当接面より前記遊技台の盤面側の位置で、前記被係合部と当接する挟持部材と、
前記第２位置で前記挟持部材を係止して、前記挟持部材の移動を規制するロック部材と、
を備えたことを特徴とする請求項８に記載の遊技台規制装置。
【請求項１０】
前記挟持部材及び前記ロック部材は、前記第１のユニットに固定される連結部を介して保持される、
ことを特徴とする請求項９に記載の遊技台規制装置。
【請求項１１】
前記第１のユニットは、
前記遊技台の盤面に対して略直交する方向で、前記位置決め部を移動させて遊技台の傾斜を変更可能とするスライド機構と、
前記スライド機構の動作を操作する操作部と、を備え、
前記操作部の操作により前記スライド機構がスライドして前記遊技台の傾斜を変更したとき、前記位置決め部と前記被係合部との当接面がずれて前記第２位置が移動する、
ことを特徴とする請求項８ないし１０のいずれか１項に記載の遊技台規制装置。
【請求項１２】
前記位置決め部と前記被係合部との当接面は、前記位置決め部の当接面及び前記被係合部の当接面の少なくとも一方が、前記遊技台の上下方向における中央部が膨らむように湾曲して形成されている、
ことを特徴とする請求項１１に記載の遊技台規制装置。
【請求項１３】
前記第１のユニットは、板状のベースにより形成され、前記ベースの端部に前記位置決め部が形成されるとともに前記係合部が設けられ、
前記第２のユニットは、板状のプレートにより形成され、前記プレートの端部に前記被係合部が設けられ、
前記操作部の操作により前記スライド機構がスライドして前記遊技台の傾斜を変更したとき、少なくとも前記プレートが弾性変形可能である、
ことを特徴とする請求項１１または１２のいずれか１項に記載の遊技台規制装置。
【請求項１４】
前記位置決め部の当接面及び前記被係合部の当接面の少なくとも一方には、前記遊技台の上下方向に溝が形成されている、
ことを特徴とする請求項８ないし１３のいずれか１項に記載の遊技台規制装置。
【請求項１５】
前記第１のユニットは、前記遊技台島に設けられ、
前記遊技台の盤面に対して略直交する方向を長手方向とする柱状に設けられた支持部材と、
前記支持部材を保持するベースと、
前記係合部を進退自在に移動させる駆動部と、を備え、
前記支持部材の一端は前記ベースに支持され、他端には前記係合部が設けられ、
前記第２のユニットは、前記遊技台に設けられ、
前記遊技台が設置される前記遊技台島の設置面に対して平行方向に板状に形成されたプレートを備え、
前記プレートには、孔または凹状の前記被係合部が設けられ、
前記駆動部により、前記係合部が前記第１位置から前記第２位置へ移動して前記被係合部に係合される、
ことを特徴とする請求項１に記載の遊技台規制装置。
【請求項１６】
前記係合部は、略閉じられた係合空間を有し、
前記被係合部は、前記遊技台が前記遊技台島の所定の位置に設置されるとき、前記係合空間に進入し、前記遊技台の盤面に対して略直交する方向への移動が規制される、
ことを特徴とする請求項１に記載の遊技台規制装置。
【請求項１７】
前記第１のユニットは、第１の板状部材にて形成され、
前記第１の板状部材の一端は前記遊技台島に取り付けられ、他端には前記係合空間が設けられ、
前記係合空間は、前記遊技台の盤面に対して略直交する方向において、前記第１の板状部材の他端が前記遊技台の盤面側に開口された略コの字型の内側の空間であり、
前記第２のユニットは、
前記遊技台の盤面に対して略直交する方向で前記遊技台に取り付けられた第２の板状部材と、
前記板状部材に対して直交する方向に突出するように設けられ、前記被係合部を形成する突出部と、を備え、
前記突出部が前記係合空間に進入することにより、前記遊技台の盤面に対して略直交する方向への移動が規制される、
ことを特徴とする請求項１６に記載の遊技台規制装置。
【請求項１８】
前記係合空間の開口側には、前記係合空間に進入された前記突出部が前記遊技台の盤面側に移動するのを規制するロック機構が設けられた、
ことを特徴とする請求項１７に記載の遊技台規制装置。
【請求項１９】
前記ロック機構は、
前記第２の板状部材に対して直交する方向を軸として回動する回動レバーと、
前記回動レバーを付勢する付勢部材と、
を備えたことを特徴とする請求項１８に記載の遊技台規制装置。
【請求項２０】
前記ロック機構は、
前記第２の板状部材に対して平行方向にスライドするスライド部と、
前記スライド部を移動させるスライド駆動部と、
を備えたことを特徴とする請求項１８に記載の遊技台規制装置。
【請求項２１】
前記ロック機構は、
前記第２の板状部材に対して直交する方向を軸として回動する一対のローラ部と、
前記一対のローラ部が互いに接触する方向へ前記一対のローラ部を付勢するローラ付勢部と、
を備えたことを特徴とする請求項１８に記載の遊技台規制装置。
【請求項２２】
前記係合空間は、前記遊技台の盤面に対して直交する方向において前記係合空間の開口側に対向する奥側に形成される奥壁面と、前記奥壁面から前記係合空間に左右に延設された左壁面及び右壁面と、を有し、
前記左壁面または前記右壁面のいずれか一方が、前記係合空間の開口側から前記奥壁面に向かうに従って前記左壁面または前記右壁面の他方までの距離が狭くなるような傾斜が所定箇所まで形成され、
前記ロック機構は、前記奥壁面、前記左壁面、及び前記右壁面が一体で左右にスライドするように形成され、前記突出部が前記係合空間に進入するに従って左右のいずれか一方にスライドし、前記突出部が前記所定箇所より奥に進入すると反対方向に付勢するスライド付勢部によってスライドし、前記突出部の移動を規制する、
ことを特徴とする請求項１８に記載の遊技台規制装置。
【請求項２３】
パチンコ機本体と、前記パチンコ機本体を支持する略短形枠状の台枠と、を有する遊技台を少なくとも１つ以上並べて配置する遊技台島に対して、前記遊技台の移動を規制する遊技台規制装置であって、
係合部と、前記遊技台島に設けられる第１の取付部とを有する第１のユニットと、
被係合部と、前記台枠の上面に設けられる第２の取付部を有する第２のユニットと、を備え、
前記第２の取付部は、前記パチンコ機本体の盤面側である前記台枠の前端を基準に固定され、
前記第１の取付部は、前記係合部と前記被係合部とが係合する位置で前記遊技台島に固定される、
ことを特徴とする遊技台規制装置。
【請求項２４】
前記第１のユニットは、
前記遊技台の盤面に対して略直交する方向で、前記係合部を移動可能とするスライド機構と、
前記スライド機構の動作を操作する操作部と、
を備えたことを特徴とする請求項２３に記載の遊技台規制装置。
【請求項２５】
請求項１ないし２４のいずれか１項に記載の遊技台規制装置を備える、
ことを特徴とする遊技台島。
【発明の詳細な説明】
【技術分野】
【０００１】
この発明は、容易に遊技台の規制及びその解除を可能にするとともに、遊技台の盤面の傾斜調整を可能にした遊技台固定装置および遊技台島に関する。
【背景技術】
【０００２】
パチンコ台やスロット台等の遊技台が設置されている遊技台島では、新製品への入れ替えや遊技台の配置換え等により、遊技台を交換する作業が発生する。しかしながら、遊技台がねじや釘によって島に固定されている場合、遊技台を交換するためには遊技台島からねじや釘を引き抜く必要があるため、手間がかかっていた。また、新製品への入れ替えが頻繁に行われると、遊技台島へのねじや釘の打ち込みが何度もなされることから、遊技台島における遊技台を固定する箇所が劣化するので、遊技台島を修理する必要があった。
【０００３】
そのため、遊技台を遊技台島へ設置する作業を容易にする技術が種々提案されている。例えば、遊技台設置ユニット（遊技台島）に設けられた着脱装置において、上下方向に可動する可動部材が遊技台島の上板に取り付けられ、この可動部材に設けられた押圧部材が遊技台を押圧して遊技台島に固定する技術が知られている（例えば、特許文献１等参照。）。また、パチンコ島にパチンコ台を固定するパチンコ台取付装置において、枠体の上部に設けられたクランプ体のクランプレバーの操作で上下し、枠体の上端部からパチンコ台側に突出してパチンコ台を圧着する圧着突起を設けた圧着固定装置で、位置決めされたパチンコ台を圧着固定する技術が提案されている（例えば、特許文献２等参照。）。
【０００４】
また、島に固定されたパチンコ台の傾斜を調整するため、パチンコ台より上部の島の幕板を開けて傾斜を調整する技術が開示されている（例えば、特許文献３等参照。）。さらに、遊技台島側に取付部材が、遊技台の枠にガイド部材が取り付けられ、取付部材とガイド部材とが係合することで遊技台島に遊技台が取り付けられる技術が知られている（例えば、特許文献４等参照。）。
【先行技術文献】
【特許文献】
【０００５】
【特許文献１】特許４４９１３８３号公報
【特許文献２】特許３２７５１６２号公報
【特許文献３】特開２０１２−０７８５０２号公報
【特許文献４】特許４３２４８３８号公報
【発明の概要】
【発明が解決しようとする課題】
【０００６】
ところで、上記従来の開示された遊技台を取り付け、固定する技術では、島内の狭所でのレバー操作が必要であるなどの問題があり、操作性及び作業性の観点で更なる改善が望まれている。また、遊技台の盤面の傾斜を調整する技術では、遊技台より上部の島の幕板を開けて作業を可能とするために、装置が大型化してしまい、装置コストが嵩み、作業性が悪いという問題があった。
【０００７】
そこで本発明は、遊技台島に対する遊技台の移動を規制すること及びその解除をすることを可能にすることで、容易な遊技台の取り付けまたは固定を可能とするとともに、遊技台の盤面の傾斜調整を可能にした遊技台固定装置および遊技台島を提供することを目的とする。
【課題を解決するための手段】
【０００８】
上記課題を解決するために、請求項１に記載の発明は、遊技台を少なくとも１つ以上並べて配置する遊技台島に対して、前記遊技台の移動を規制する遊技台規制装置であって、前記遊技台または前記遊技台島のいずれか一方に設けられ、移動可能な係合部を有する第１のユニットと、前記遊技台または前記遊技台島の他方に設けられ、前記係合部に係合される被係合部を有する第２のユニットと、を備え、前記係合部は、前記被係合部と係合していない第１位置から、前記被係合部と係合する第２位置へ移動して前記被係合部と係合することで前記遊技台の動きを規制する、ことを特徴とする。
【０００９】
請求項２に記載の発明は、請求項１に記載の遊技台規制装置において、前記第１のユニットは、前記遊技台島に設けられ、前記遊技台の盤面に対して略直交する方向を回転軸とする軸部材と、前記軸部材を回転可能に軸支するベースと、を備え、前記軸部材の一端は前記ベースに軸支され、他端には前記係合部が設けられ、前記第２のユニットは、前記遊技台に設けられ、前記遊技台が設置される前記遊技台島の設置面に対して略平行に形成されたプレートを備え、前記プレートには、溝状または切欠き状の前記被係合部が設けられ、前記軸部材の回転により、前記係合部が前記第１位置から前記第２位置へ移動して前記被係合部に係合される、ことを特徴とする。
【００１０】
請求項３に記載の発明は、請求項２に記載の遊技台規制装置において、前記ベースは、前記遊技台の盤面に対して略直交する方向で、前記遊技台島に対して前記ベースを移動させるスライド機構と、操作されることにより前記スライド機構を動作させる操作部と、を備え、前記操作部の操作により、前記第２のユニットが設けられた前記遊技台の前記遊技台島に対する位置が変化する、ことを特徴とする。
【００１１】
請求項４に記載の発明は、請求項２または３のいずれか１項に記載の遊技台規制装置において、前記軸部材の側面には、突起部が設けられ、前記ベースは、前記突起部を案内するガイド部と、前記突起部の回転角度を規制する規制部と、を備えたことを特徴とする。
【００１２】
請求項５に記載の発明は、請求項２ないし４のいずれか１項に記載の遊技台規制装置において、前記軸部材には、前記軸部材の軸線と直交する面に第１の摺設面を有する第１の摺設部材が設けられ、前記ベースには、前記第１の摺設面と摺設するように第２の摺設面を有する第２の摺設部材が設けられ、前記第１の摺設面または前記第２の摺設面のいずれか一方に凹部が設けられ、前記第１の摺設面または前記第２の摺設面の他方に凸部が設けられている、ことを特徴とする。
【００１３】
請求項６に記載の発明は、請求項１ないし５のいずれか１項に記載の遊技台規制装置において、前記第２のユニットには、前記被係合部が前記係合部に係合されているときに、前記係合部を前記被係合部へ押し付ける押圧機構が設けられ、前記押圧機構は、前記係合部に接触して押圧する押圧部と、前記押圧部を、前記係合部に接触している位置と、前記係合部から離間した位置と、の間を移動させる本体部と、を備えたことを特徴とする。
【００１４】
請求項７に記載の発明は、請求項１ないし５のいずれか１項に記載の遊技台規制装置において、前記第２のユニットには、前記被係合部が前記係合部に係合されているときに、前記係合部を係止する係止機構が設けられ、前記係止機構は、前記係合部に設けられた溝部を係止する係止部と、前記係止部を、前記溝部を係止している位置と、前記溝部から離間した位置と、の間を移動させる本体部と、を備えたことを特徴とする。
【００１５】
請求項８に記載の発明は、請求項１に記載の遊技台規制装置において、前記第１のユニットは、前記遊技台島に設けられ、前記第１のユニットには、前記遊技台の盤面側と反対の裏側方向へ突出するように、前記遊技台島に前記遊技台を取り付ける際に前記遊技台の位置決めを行う位置決め部が設けられ、前記第２のユニットは、前記遊技台に設けられ、前記被係合部が前記位置決め部に当接して位置決めが行われると、前記係合部と前記位置決め部が、前記被係合部を挟持して前記第２のユニットの移動を規制する、ことを特徴とする。
【００１６】
請求項９に記載の発明は、請求項８に記載の遊技台規制装置において、前記係合部は、前記被係合部と前記位置決め部とが当接する当接面より前記遊技台の盤面側の位置で、前記被係合部と当接する挟持部材と、前記第２位置で前記挟持部材を係止して、前記挟持部材の移動を規制するロック部材と、を備えたことを特徴とする。
【００１７】
請求項１０に記載の発明は、請求項９に記載の遊技台規制装置において、前記挟持部材及び前記ロック部材は、前記第１のユニットに固定される連結部を介して保持される、ことを特徴とする。
【００１８】
請求項１１に記載の発明は、請求項８ないし１０のいずれか１項に記載の遊技台規制装置において、前記第１のユニットは、前記遊技台の盤面に対して略直交する方向で、前記位置決め部を移動させて遊技台の傾斜を変更可能とするスライド機構と、前記スライド機構の動作を操作する操作部と、を備え、前記操作部の操作により前記スライド機構がスライドして前記遊技台の傾斜を変更したとき、前記位置決め部と前記被係合部との当接面がずれて前記第２位置が移動する、ことを特徴とする。
【００１９】
請求項１２に記載の発明は、請求項１１に記載の遊技台規制装置において、前記位置決め部と前記被係合部との当接面は、前記位置決め部の当接面及び前記被係合部の当接面の少なくとも一方が、前記遊技台の上下方向における中央部が膨らむように湾曲して形成されている、ことを特徴とする。
【００２０】
請求項１３に記載の発明は、請求項１１または１２のいずれか１項に記載の遊技台規制装置において、前記第１のユニットは、板状のベースにより形成され、前記ベースの端部に前記位置決め部が形成されるとともに前記係合部が設けられ、前記第２のユニットは、板状のプレートにより形成され、前記プレートの端部に前記被係合部が設けられ、前記操作部の操作により前記スライド機構がスライドして前記遊技台の傾斜を変更したとき、少なくとも前記プレートが弾性変形可能である、ことを特徴とする。
【００２１】
請求項１４に記載の発明は、請求項８ないし１３のいずれか１項に記載の遊技台規制装置において、前記位置決め部の当接面及び前記被係合部の当接面の少なくとも一方には、前記遊技台の上下方向に溝が形成されている、ことを特徴とする。
【００２２】
請求項１５に記載の発明は、請求項１に記載の遊技台規制装置において、前記第１のユニットは、前記遊技台島に設けられ、前記遊技台の盤面に対して略直交する方向を長手方向とする柱状に設けられた支持部材と、前記支持部材を保持するベースと、前記係合部を進退自在に移動させる駆動部と、を備え、前記支持部材の一端は前記ベースに支持され、他端には前記係合部が設けられ、前記第２のユニットは、前記遊技台に設けられ、前記遊技台が設置される前記遊技台島の設置面に対して平行方向に板状に形成されたプレートを備え、前記プレートには、孔または凹状の前記被係合部が設けられ、前記駆動部により、前記係合部が前記第１位置から前記第２位置へ移動して前記被係合部に係合される、ことを特徴とする。
【００２３】
請求項１６に記載の発明は、請求項１に記載の遊技台規制装置において、前記係合部は、略閉じられた係合空間を有し、前記被係合部は、前記遊技台が前記遊技台島の所定の位置に設置されるとき、前記係合空間に進入し、前記遊技台の盤面に対して略直交する方向への移動が規制される、ことを特徴とする。
【００２４】
請求項１７に記載の発明は、請求項１６に記載の遊技台規制装置において、前記第１のユニットは、第１の板状部材にて形成され、前記第１の板状部材の一端は前記遊技台島に取り付けられ、他端には前記係合空間が設けられ、前記係合空間は、前記遊技台の盤面に対して略直交する方向において、前記第１の板状部材の他端が前記遊技台の盤面側に開口された略コの字型の内側の空間であり、前記第２のユニットは、前記遊技台の盤面に対して略直交する方向で前記遊技台に取り付けられた第２の板状部材と、前記板状部材に対して直交する方向に突出するように設けられ、前記被係合部を形成する突出部と、を備え、前記突出部が前記係合空間に進入することにより、前記遊技台の盤面に対して略直交する方向への移動が規制される、ことを特徴とする。
【００２５】
請求項１８に記載の発明は、請求項１７に記載の遊技台規制装置において、前記係合空間の開口側には、前記係合空間に進入された前記突出部が前記遊技台の盤面側に移動するのを規制するロック機構が設けられた、ことを特徴とする。
【００２６】
請求項１９に記載の発明は、請求項１８に記載の遊技台規制装置において、前記ロック機構は、前記第２の板状部材に対して直交する方向を軸として回動する回動レバーと、前記回動レバーを付勢する付勢部材と、を備えたことを特徴とする。
【００２７】
請求項２０に記載の発明は、請求項１８に記載の遊技台規制装置において、前記ロック機構は、前記第２の板状部材に対して平行方向にスライドするスライド部と、前記スライド部を移動させるスライド駆動部と、を備えたことを特徴とする。
【００２８】
請求項２１に記載の発明は、請求項１８に記載の遊技台規制装置において、前記ロック機構は、前記第２の板状部材に対して直交する方向を軸として回動する一対のローラ部と、前記一対のローラ部が互いに接触する方向へ前記一対のローラ部を付勢するローラ付勢部と、を備えたことを特徴とする。
【００２９】
請求項２２に記載の発明は、請求項１８に記載の遊技台規制装置において、前記係合空間は、前記遊技台の盤面に対して直交する方向において前記係合空間の開口側に対向する奥側に形成される奥壁面と、前記奥壁面から前記係合空間に左右に延設された左壁面及び右壁面と、を有し、前記左壁面または前記右壁面のいずれか一方が、前記係合空間の開口側から前記奥壁面に向かうに従って前記左壁面または前記右壁面の他方までの距離が狭くなるような傾斜が所定箇所まで形成され、前記ロック機構は、前記奥壁面、前記左壁面、及び前記右壁面が一体で左右にスライドするように形成され、前記突出部が前記係合空間に進入するに従って左右のいずれか一方にスライドし、前記突出部が前記所定箇所より奥に進入すると反対方向に付勢するスライド付勢部によってスライドし、前記突出部の移動を規制する、ことを特徴とする。
【００３０】
請求項２３に記載の発明は、パチンコ機本体と、前記パチンコ機本体を支持する略短形枠状の台枠と、を有する遊技台を少なくとも１つ以上並べて配置する遊技台島に対して、前記遊技台の移動を規制する遊技台規制装置であって、係合部と、前記遊技台島に設けられる第１の取付部とを有する第１のユニットと、被係合部と、前記台枠の上面に設けられる第２の取付部を有する第２のユニットと、を備え、前記第２の取付部は、前記パチンコ機本体の盤面側である前記台枠の前端を基準に固定され、前記第１の取付部は、前記係合部と前記被係合部とが係合する位置で前記遊技台島に固定される、ことを特徴とする。
【００３１】
請求項２４に記載の発明は、請求項２２に記載の遊技台規制装置において、前記第１のユニットは、前記遊技台の盤面に対して略直交する方向で、前記係合部を移動可能とするスライド機構と、前記スライド機構の動作を操作する操作部と、を備えたことを特徴とする。
【００３２】
請求項２５に記載の発明は、請求項１ないし２４のいずれか１項に記載の遊技台規制装置を備える、ことを特徴とする遊技台島である。
【発明の効果】
【００３３】
本発明によれば、以下の（Ａ）〜（Ｉ）のような効果がある。
【００３４】
（Ａ）第１のユニットに移動可能に設けられた係合部と、第２のユニットに設けられた係合部に係合される被係合部とを備えたため、係合部と被係合部との係合により、遊技台島に対する遊技台の動きを規制すること及びその規制を解除することを可能とする。すなわち、遊技台島に対して遊技台が移動しないように規制及びその解除をするため、遊技台の取り付け／取り外しを容易にすることを可能とする。なお、遊技台島に対する遊技台の移動を規制することとは、所定の位置に設置された遊技台が遊技台島から外れないように保持することであり、言い換えると所定の位置に固定することである。また、遊技台の枠体に孔を設けたり押圧したりしないので、枠体の劣化を防止することができる。
【００３５】
（Ｂ）回転する軸部材に設けられた係合部が、プレートに設けられた溝状または切欠き状の被係合部に係合して、遊技台島に対する遊技台の移動を規制するため、簡単な構成で遊技台の移動の規制を可能とする。
【００３６】
（Ｃ）ベースを移動させるスライド機構が設けられ、スライド機構を操作部で操作することによって、ベースとともに係合部が移動するので、遊技台島に対して遊技台を移動させることが可能となる。すなわち、遊技台の盤面に対して略直交方向となる遊技台の前後方向に移動するスライド機構によって、遊技台の傾斜調整が可能になる。
【００３７】
（Ｄ）軸部材に突起部が設けられ、この突起部がガイド部により案内されて規制部により回転角度を規制されるので、軸部材が所定の角度以上に回転しないように回転角度が規制される。また、軸部材に設けられた第１の摺接面と、ベースに設けられた第２の摺接面とが凹部及び凸部を介して摺接するため、操作者が所定の回転角度まで回ったことを体感できる。そのため、係合部が被係合部に係合していない状態で操作者が軸部材の操作を止めてしまうことを防止することを可能にする。
【００３８】
（Ｅ）第２のユニットに係合部を押圧する押圧機構、または係止する係止機構が設けられたため、第１のユニットの係合部と第２のユニットの被係合部との係合箇所が動くのを防止できる。また、係合部と被係合部との間に生じる隙間によって遊技台のガタつきに起因する異音を軽減することができる。さらに、係合部と被係合部との係合箇所が動くのを防止できるため、例えば、遊技台島からパチンコ機本体を扉状に開くときに、パチンコ機本体の自重から係合箇所が動くことよって生じる台枠への負荷により、台枠を歪ませることを防止し、台枠の劣化を防止することができる。
【００３９】
（Ｆ）遊技台の傾斜を変更したとき、第１のユニットは遊技台の盤面に対して垂直方向に移動するが、第２のユニットは第１のユニットとの接続箇所を中心に円弧方向に移動しようとするので、この接続箇所に負荷が生じる。そのため、位置決め部と被係合部との当接面がずれて第２位置が移動することにより、この負荷を解消することが可能となる。また、位置決め部側及び前記被係合部側の少なくとも一方の中央部が膨らむように湾曲して形成されているので、位置決め部と被係合部の当接面がずれ易くなり、当接面がずれる際に過大な負荷がかかることを防止する。これと同様に、当接面上下方向に溝が形成されているので、当接面のスライド時に過大な負荷がかかることを防止する。さらに、第１のユニットのベースより第２のユニットのプレートが撓むように弾性変形可能であるので、遊技台の傾斜を変更したときに生じるひずみを吸収することが可能である。
【００４０】
（Ｇ）係合空間の開口側に、係合空間へ進入した係合部の移動を規制するロック機構が設けられているため、所定の位置で遊技台を留めることが可能となる。
【００４１】
（Ｈ）第２の取付部が、パチンコ機本体の盤面側である台枠の前端を基準に固定されているため、遊技台の台枠の大きさ、具体的には、遊技台の盤面に対して直交する方向の台枠幅に影響されることなくパチンコ機本体を遊技台島に取り付けることができる。このため、パチンコ台のメーカにより異なるパチンコ台の台枠幅に関係なく、所定の位置で遊技台規制装置の係合部と被係合部を係合させることが可能となる。
【００４２】
（Ｉ）遊技台島に遊技台規制装置を備えたため、容易に遊技台の規制及びその解除をすることが可能になる。
【図面の簡単な説明】
【００４３】
【図１】この発明の実施の形態１に係る遊技台規制装置２を取り付けた遊技台島の一部を遊技台盤面の左斜め前方から見た状態を示す斜視図である。
【図２】この発明の実施の形態１に係る遊技台規制装置２を取り付けた遊技台島の一部を遊技台盤面の左斜め後方から見た状態を示す斜視図である。
【図３】図１及び図２の台枠４ａ及び島枠５ａを備えた遊技台４０及び遊技台島１を示す斜視図である。
【図４】図３の遊技台４０における台枠４ａを遊技台島１における島枠５ａに取り付ける状態を示す斜視図である。
【図５】図１の第１のユニット１０Ａ，１０Ｂ及び第２のユニット２０Ａ，２０Ｂを遊技台盤面の左斜め前方から見た状態を示す拡大斜視図である。
【図６】図１の第１のユニット１０Ａ，１０Ｂ及び第２のユニット２０Ａ，２０Ｂを遊技台盤面の左斜め後方から見た状態を示す拡大斜視図である。
【図７】図５及び図６の第１のユニット１０Ａ，１０Ｂ及び固定板１４を示す平面図（ａ）、及び正面図（ｂ）である。
【図８】図５及び図６の第２のユニット２０Ａ，２０Ｂ及び固定板２４を示す平面図（ａ）、及び底面図（ｂ）である。
【図９】図６の第１のユニット１０Ａ及び第２のユニット２０Ａを示す拡大斜視図である。
【図１０】図５の第１のユニット１０Ａ及び第２のユニット２０Ａを盤面４５ａの右斜め前方から見た状態を示す拡大斜視図（ａ）、図１０（ａ）のカム１２５を示す分解斜視図（ｂ）、及び図１０（ａ）のカム１２６を示す分解斜視図（ｃ）である。
【図１１】図９のベース１３Ａを示す拡大斜視図である。
【図１２】図９のベース１３Ａがシャフト１２Ａを軸支した状態を示す側面図であり、係合部１１Ａがプレート２１Ａに係止されていない状態を示す側面図（ａ）、及び係合部１１Ａがプレート２１Ａに係止された状態を示す側面図（ｂ）である。
【図１３】この発明の実施の形態１の変形例１に係る第１のユニット６０及び第２のユニット７０を遊技台盤面の右斜め前方から見た状態を示す拡大斜視図である。
【図１４】図１３の第１のユニット６０及び第２のユニット７０を遊技台盤面の右斜め後方から見た状態を示す拡大斜視図である。
【図１５】図１３の係合部６１が係合していないときに遊技台盤面の右斜め後方から見た状態を示す拡大斜視図である。
【図１６】図１３の係合部６１が係合していないときに遊技台盤面の正面下方から見た状態を示す拡大斜視図である。
【図１７】図１３の係合部６１が係合しているときに遊技台盤面の正面下方から見た状態を示す拡大斜視図である。
【図１８】この発明の実施の形態１の変形例２に係る係合部１１ａ及び被係合部２２ａを示す斜視図である。
【図１９】この発明の実施の形態１の変形例３に係る係合部１１ｂ及び被係合部２２ｂを示す斜視図である。
【図２０】この発明の実施の形態２に係る第１のユニット１０Ｃ及び第２のユニット２０Ｃを示す斜視図である。
【図２１】図２０の係合部１４Ｃが被係合部２１Ｃを係合する状態を示す模式図であり、回動レバー１５Ｃが設けられ、被係合部２１Ｃが係合される前の状態を示す模式図（ａ１）、係合された後の状態を示す模式図（ａ２）、スライド部１６Ｃが設けられ、被係合部２１Ｃが係合される前の状態を示す模式図（ｂ１）、係合された後の状態を示す模式図（ｂ２）、ローラ部１７Ｃ，１７Ｄが設けられ、被係合部２１Ｃが係合される前の状態を示す模式図（ｃ１）、係合された後の状態を示す模式図（ｃ２）、ばね１８Ｃが設けられて係合部１４Ｃがスライドし、被係合部２１Ｃが係合される前の状態を示す模式図（ｄ１）、被係合部２１Ｃが手前に挿入された状態を示す模式図（ｄ２）、被係合部２１Ｃが奥に挿入された状態を示す模式図（ｄ３）、及び被係合部２１Ｃが係合された後の状態を示す模式図（ｄ４）である。
【発明を実施するための形態】
【００４４】
以下、この発明を図示の実施の形態に基づいて説明する。
なお、遊技台とは、パチンコ台および／またはスロット台を示す。
具体的に、パチンコ台は、盤面、ハンドル、コンピュータ等で構成されるパチンコ機およびパチンコ機の上下左右の周囲に形成される枠体であって、パチンコ機の一側部と枠体の一側部とでヒンジを介して回動開閉可能に接続されたものである。スロット台は、遊技者側に開口部を有する筐体、開口部を開閉可能に覆う前扉、回動リール、コンピュータ等を有するものである。本発明の実施の形態では、遊技台がパチンコ台の場合について説明する。
【００４５】
（実施の形態１）
図１ないし図４は、この発明の実施の形態１を示し、図１は、この実施の形態１に係る遊技台規制装置２を取り付けた遊技台島の一部を遊技台盤面の左斜め前方から見た状態を示す斜視図であり、図２は、左斜め後方から見た状態を示す斜視図であり、図３は、図１及び図２の遊技台規制装置を取り付けた遊技台島１示す斜視図であり、図４は、図３の遊技台４０における台枠４ａを遊技台島１における島枠５ａに取り付ける状態を示す斜視図である。図１及び図２に示す遊技台規制装置２は、図３に示す遊技台島１に遊技台４０を設置する際、遊技台４０の動きを規制する装置であり、一対の遊技台規制装置２Ａ，２Ｂから構成され、遊技台規制装置２Ａが遊技台盤面側（遊技者側）から見て右側に、遊技台規制装置２Ｂが遊技台盤面（遊技者側）から見て左側に取り付けられている。遊技台規制装置２Ａ，２Ｂは、第１のユニット１０Ａ，１０Ｂと、第２のユニット２０Ａ，２０Ｂとから構成されている。なお、遊技台島１に遊技台４０を取り付けた状態において、図３に示す遊技台４０におけるパチンコ機本体４５の盤面４５ａに対して直交する方向のうち遊技者側を遊技台の前面側、遊技台の裏側を背面側とし、遊技台の盤面を前面側から見た状態において、上下左右の方向を上側、下側、左側、右側とする。
【００４６】
第１のユニット１０Ａ，１０Ｂは、図１及び図２に示すように、遊技台島１において遊技台４０を設置する際に遊技台４０に接触する上板材５１、下板材５２、右板材５３、及び左板材５４から構成されている島枠５ａのうちの上板材５１に取り付けられた部品であり、上板材５１に取り付けられた固定板１４に載置されている。固定板１４は、上板材５１にネジ等で固定されている。
【００４７】
第２のユニット２０Ａ，２０Ｂは、遊技台４０の枠体である上板材４１、下板材４２、右板材４３、及び左板材４４から構成されている台枠４ａのうちの上板材４１に取り付けられた、後述する固定板２４から延設された部品である。固定板２４は、台枠４ａの上板材４１の前面側の端面を基準にして取り付けられている。具体的には、図４に示すように、遊技台４０におけるパチンコ機本体４５と台枠４ａとの境目Ｌが第２のユニット２０Ａ，２０Ｂを取り付ける基準となっている。固定板２４の前面側の端面と台枠４ａの上板材４１の前面側の端面とを揃えて取り付けることが好ましい。第１のユニット１０Ａ，１０Ｂ及び第２のユニット２０Ａ，２０Ｂは、例えば、金属製の部品である。上板材５１の前面側には、図１に示すように、上板材５１の垂直方向に前板５１ａが取り付けられ、前板５１ａには、遊技台４０の前面側から遊技台規制装置２Ａ，２Ｂを操作可能にするための操作窓５１ｂが開閉可能に設けられている。
【００４８】
また、下板材５２及び下板材４２には、遊技台島１に遊技台４０を設置する際に遊技台を固定する下枠固定装置３０が取り付けられている。下枠固定装置３０は、一対の下枠固定装置３０Ａ，３０Ｂから構成され、下枠固定装置３０Ａが右側に、下枠固定装置３０Ｂが左側に取り付けられている。下枠固定装置３０Ａ，３０Ｂは、例えば、金属製の部品である。さらに、図３に示すように、遊技台４０には、上板材４１、下板材４２、右板材４３、及び左板材４４から構成されている台枠４ａに囲まれて、遊技台４０の本体部であるパチンコ機本体４５が設けられ、パチンコ機本体４５の前面側、すなわち遊技者が実際に遊技するときに操作する側面側には、盤面４５ａが設けられている。このパチンコ機本体４５は、図４に示すように、パチンコ機本体４５の背面側の各種機械との接続や調整をする際に、台枠４ａから前面側に扉状に開くことが可能である。そのための蝶番は、例えば、右板材４３または左板材４４に取り付けられている。
【００４９】
遊技台島１は、例えばパチンコ台である複数の遊技台４０を正面及び背面に設置するための台であり、骨材に種々の部品を取り付けて構成されている。遊技台島１は、遊技台４０を設置する取付部８０、発光素子等の各種装飾品を取り付ける装飾部８２、脚部である島下部８３をその両面に備えている。取付部８０の上部には、呼び出しランプ等が取り付けられたランプ板８１が設けられ、このランプ板８１により前板５１ａ及び操作窓５１ｂが隠されている。このランプ板８１は取り外して開口状態にすることが可能な場合があり、遊技台４０を設置する際や、遊技台４０の傾斜を調整する際に取り外して作業を行うために開口状態にすることがある。一方、ランプ板８１を別途設けずに前板５１ａに呼び出しランプ及び操作窓５１ｂが設けられる場合は、遊技台島１の外側から見えるように露出している操作窓５１ｂから直接作業を行ってもよい。なお、遊技台島１の長手方向における両島端面、並びに遊技台島１の上面には、遊技台島１の内部を隠すための化粧板が取り付けられるが、これについては図示を省略している。取付部８０の下部には、不図示の灰皿等が取り付けられるための膳板５５が突出して設けられ、膳板５５の上方には、遊技台４０を補強するための補助材５６が設けられている。
【００５０】
図５ないし図８は、図１及び図２の第１のユニット１０Ａ，１０Ｂ及び第２のユニット２０Ａ，２０Ｂを示し、図５は、遊技台盤面の左斜め前方から見た状態を示す拡大斜視図であり、図６は、遊技台盤面の左斜め後方から見た状態を示す拡大斜視図であり、図７は、図５及び図６の第１のユニット１０Ａ，１０Ｂ及び固定板１４を示す平面図（ａ）、及び正面図（ｂ）であり、図８は、図５及び図６の第２のユニット２０Ａ，２０Ｂ及び固定板２４を示す平面図（ａ）、及び底面図（ｂ）である。
【００５１】
第１のユニット１０Ａ，１０Ｂは、係合部１１Ａ，１１Ｂと、シャフト（軸部材）１２Ａ，１２Ｂと、ベース（第１の取付部）１３Ａ，１３Ｂとを有している。係合部１１Ａ，１１Ｂは、第２のユニット２０Ａ，２０Ｂが有する後述する被係合部と係合するための部材であり、断面略コの字型の溝状の金属部材で形成されている。シャフト１２Ａ，１２Ｂは、その一端が係合部１１Ａ，１１Ｂに接続されて回転し、図６（ｂ）に実線で示す被係合部と係合していない位置（第１位置）と、図６（ｂ）に破線で示す係合する位置（第２位置）との間を矢印Ｘ１方向に回転して移動させるための部材であり、略円柱型の金属部材で形成されている。ベース１３Ａ，１３Ｂは、シャフト１２Ａ，１２Ｂの係合部１１Ａ，１１Ｂとの接続側と反対側の端部を回転可能に軸支する部材であり、金属板の端部を略直角に折り曲げてシャフト１２Ａ，１２Ｂを貫通させる孔を設けて形成され、後述するように固定板１４上をスライド可能になるように固定板１４に載置されて上板材５１に取り付けられている。また、固定板１４の中央付近には、遊技台島１の上板材５１への取り付け時に中心位置の目安としての位置合わせ用孔１４ａが略菱形に穿孔されている。なお、固定板１４は第１のユニット１０Ａと第１のユニット１０Ｂの２つに分割されていてもよい。
【００５２】
なお、ここで「係合」とは、一方の部材と他方の部材とが関わり合うこと全般を含める意味である。具体的には、一方の部材と他方の部材とが直接接触する場合や固定する場合のみならず、一方の部材と他方の部材との間にさらに他の部材を介して間接的に接触する場合や固定する場合も含まれる。
【００５３】
第２のユニット２０Ａ，２０Ｂは、プレート（第２の取付部）２１Ａ，２１Ｂと、被係合部２２Ａ，２２Ｂと、押圧機構２３Ａ，２３Ｂとを有し、上板材４１に取り付けられた固定板２４の両端に設けられている。プレート２１Ａ，２１Ｂは、固定板２４から延設された金属製の板状部材であり、遊技台４０の盤面４５ａの背面側に突出するように設けられ、その突出箇所が略コの字型の形状に形成されている。被係合部２２Ａ，２２Ｂは、プレート２１Ａ，２１Ｂに設けられた略コの字型の溝状または切欠き状に形成された箇所であり、係合部１１Ａ，１１Ｂに係合される箇所である。この被係合部２２Ａ，２２Ｂには、係合部１１Ａ，１１Ｂを被係合部２２Ａ，２２Ｂへ案内する係合ガイド部２２１Ａ，２２２Ａ，２２１Ｂ，２２２Ｂがそれぞれ形成されている。係合ガイド部２２１Ａ，２２２Ａ，２２１Ｂ，２２２Ｂは、被係合部２２Ａ，２２Ｂにより形成されている係合空間の入口近傍に設けられ、入口から奥に向かうに従い狭くなるような傾斜であり、第１のユニット１０Ａ，１０Ｂ、または第２のユニット２０Ａ，２０Ｂの取り付け寸法の誤りや台枠４ａ、または島枠５ａの材料の変質等で相対的な位置が変化した場合であっても、係合部１１Ａ，１１Ｂを案内するために形成されている。押圧機構２３Ａ，２３Ｂは、係合部１１Ａ，１１Ｂが被係合部２２Ａ，２２Ｂに係合されているときに係合部１１Ａ，１１Ｂを押圧して動かないようにするための機構であり、押圧機構本体部（本体部）２３１Ａ，２３１Ｂと、レバー部２３２Ａ，２３２Ｂと、押圧部２３３Ａ，２３３Ｂとを備えている。また、固定板２４の中央付近には、遊技台４０の上板材４１への取り付け時に中心位置の目安としての位置合わせ用孔２４１が略菱形に穿孔されている。なお、固定板２４は第２のユニット２０Ａと第２のユニット２０Ｂの２つに分割されていてもよい。
【００５４】
押圧機構本体部２３１Ａ，２３１Ｂは、レバー部２３２Ａ，２３２Ｂの操作により押圧部２３３Ａ，２３３Ｂを盤面４５ａと直交する前後方向に動かすための機構本体部である。レバー部２３２Ａ，２３２Ｂは、押圧機構本体部２３１Ａ，２３１Ｂから突出するように設けられ、押圧部２３３Ａ，２３３Ｂを動かすためのレバーである。押圧部２３３Ａ，２３３Ｂは、係合部１１Ａ，１１Ｂに接触して押圧する部材であり、例えば、滑らないようにするため、ゴム等の素材により形成されている。なお、押圧部２３３Ａ，２３３Ｂに替えて係合部１１Ａ，１１Ｂとの間で滑らないように凹凸等の溝部を係止する係止部を設け、押圧機構本体部２３１Ａ，２３１Ｂに替えて係止部を移動させる本体部を設けた係止機構を備え、押圧部２３３Ａ，２３３Ｂによる係合部１１Ａ，１１Ｂへの押圧ではなく、互いに形成された凹凸等の溝による係止または嵌合がなされていてもよい。言い換えると、係合部１１Ａ，１１Ｂが被係合部２２Ａ，２２Ｂと係合した際、滑って移動しない構成であれば、押圧機構であっても、係止機構であってもよい。
【００５５】
図９は、図６の第１のユニット１０Ａ及び第２のユニット２０Ａを示す拡大斜視図である。図５ないし図８に示す第１のユニット１０Ａ，１０Ｂ及び第２のユニット２０Ａ，２０Ｂは同様の構成であるため、第１のユニット１０Ａ及び第２のユニット２０Ａを例として説明する。第１のユニット１０Ａの係合部１１Ａは、溝部１１１と、凹部１１２と、被押圧部１１３と、固定部１１４とから構成されている。
【００５６】
溝部１１１は、断面略コの字型の溝状の金属部材である係合部１１Ａの本体部分であり、シャフト１２Ａ，１２Ｂを貫通させる孔が穿孔されている。凹部１１２は、被押圧部１１３を露出するために溝部１１１の溝側面の一部に形成された切り欠きである。被押圧部１１３は、押圧部２３３Ａ，２３３Ｂから押圧されるための箇所であり、溝部１１１において凹部１１２が形成された溝側面に対向する溝側面に突出して設けられている。被押圧部１１３は、例えば、押圧部２３３Ａ，２３３Ｂが滑らないようにするため、ゴムや樹脂等により形成されている。また、凹凸溝等の形状によって、押圧部２３３Ａ，２３３Ｂと係合部１１Ａ，１１Ｂが嵌め合いの関係となることで、滑りを防いでもよい。固定部１１４は、被押圧部１１３を溝部１１１に固定するために設けられたねじ孔及びねじにより構成されている。これにより、係合部１１Ａが被係合部２２Ａに係合された状態から動かないようにしている。また、遊技台４０のパチンコ機本体４５を台枠４ａから扉状に開いたときに、台枠４ａに生じるパチンコ機本体４５の荷重によって、台枠４ａが左右方向に歪むことを防止することができる。なお、第２のユニット２０Ａ，２０Ｂに押圧機構２３Ａ，２３Ｂを設けず、例えば、被押圧部１１３に被係合部２２Ａ，２２Ｂを押圧するような構成にしてもよい。
【００５７】
図１０は、図５の第１のユニット１０Ａ及び第２のユニット２０Ａを遊技台盤面の右斜め前方から見た状態を示す斜視図（ａ）、図１０（ａ）のカム１２５を示す分解斜視図（ｂ）、及び図１０（ａ）のカム１２６を示す分解斜視図（ｃ）である。なお、図１０（ａ）では、シャフト１２Ａ及びベース１３Ａの形状を理解しやすくするため、上板材５１の線を部分的に省略している。シャフト１２Ａは、図９に示す軸部１２１、連接部１２２、接続部１２３、及び回転操作部１２４と、図１０（ａ）に示すカム（第１の摺設部材）１２５及びカム（第２の摺設部材）１２６とから構成されている。
【００５８】
軸部１２１は、ベース１３Ａに軸支される箇所であり、ベース１３Ａに設けられた孔に貫通して取り付けられている。連接部１２２は、軸部１２１と接続部１２３とを連接する部分であり、軸部１２１の回転を接続部１２３に伝達するための軸である。接続部１２３は、溝部１１１に設けられた孔を貫通して係合部１１Ａに取り付けられて固定される箇所であり、遊技台４０の前面側から見たシャフト１２Ａの奥側端部である。回転操作部１２４は、シャフト１２Ａの回転を操作するための箇所であり、前面側から見てシャフト１２Ａの手前側端部である。この回転操作部１２４は、軸部１２１を回転させるための回転力を得やすくするために軸部１２１より太い円柱型に形成され、工具で操作するための凸部１２１ｂが設けられている。
【００５９】
カム１２５，１２６は、シャフト１２Ａを所定の回転位置、例えば、接続された係合部１１Ａが前面側から見て右方向を指す位置と、下方向を指す位置との２箇所（すなわち、図６（ｂ）に実線で示す係合部１１Ａの位置と、破線で示す係合部１１Ａの位置との２箇所）で停止させる際、操作者が回転操作時のクリック感を体感するための部材であり、軸部１２１のベース１３Ａによる軸支箇所と回転操作部１２４との間に設けられ、同軸上に配置された板バネ（図示省略）によって付勢されている。カム１２５には、図１０（ｂ）に示すように、カム１２６に摺設する第１の摺設面が形成されて２つの凸部１２５ａが設けられ、中心部に凸部１２１ｂに嵌合するように孔１２５ｂが穿孔されている。カム１２６は、図１０（ｃ）に示すように、カム１２５に摺設する第２の摺設面が形成されて４つの凹部１２６ａが設けられ、中心部に軸部１２１に嵌合するように孔１２６ｂが穿孔されている。
【００６０】
図１０（ａ）に示すように、カム１２６は、凹部１２６ａ側を遊技台の前面側となるように軸部１２１が挿通されるベース１３Ａに設けられた、後述するシャフト貫通孔１３４に固定され、カム１２５は、凸部１２５ａ側を遊技台の背面側となるように軸部１２１に挿入されて固定されている。このとき、凸部１２５ａと凹部１２６ａとが嵌合された状態で接触して安定し、係合部１１Ａは、前面側から見て右方向を指している。その後、回転操作部１２４を用いてシャフト１２Ａを回転させると、凸部１２５ａと凹部１２６ａとが離間して不安定な状態になり、９０°回転させて係合部１１Ａを前面側から見て下方向を指すように移動させると、再び凸部１２５ａと凹部１２６ａとが嵌合された状態で接触して安定する。このようにカム１２５，１２６を設けることにより、回転操作を行う操作者に対し特定の角度（例えば、本実施例では９０°）まで回転したことを体感できるように設けている。なお、カム１２５に凸部１２５ａを設け、カム１２６に凹部１２６ａを設けたが、カム１２５に凹部を設け、カム１２６に凸部を設けてもよい。
【００６１】
図１１は、図９のベース１３Ａを示す拡大斜視図である。図１２は、図９のベース１３Ａがシャフト１２Ａを軸支した状態を示す側面図であり、係合部１１Ａがプレート２１Ａに係止されていない状態を示す側面図（ａ）、及び係合部１１Ａがプレート２１Ａに係止された状態を示す側面図（ｂ）である。ベース１３Ａは、図１１に示す底部１３１と、手前側軸受部１３２と、奥側軸受部１３３と、シャフト貫通孔１３４，１３５と、屈折部１３６と、ガイド部１３７と、ストッパ１３８と、調整軸貫通孔１３９とから構成されている。
【００６２】
底部１３１は、ベース１３Ａの底板部分であり、固定板１４に載置される箇所である。手前側軸受部１３２及び奥側軸受部１３３は、シャフト１２Ａを軸支するために底部１３１から上方に略直角に折り曲げられた箇所である。シャフト貫通孔１３４，１３５は、シャフト１２Ａを貫通するために穿孔された孔であり、この孔にシャフト１２Ａを貫通してシャフト１２Ａを軸支する。屈折部１３６は、ガイド部１３７を設けるために底部１３１から上方に略直角に折り曲げられて延設された箇所である。
【００６３】
ガイド部１３７は、図１２（ａ）に示すように、軸部１２１に設けられた突起部１２１ａを遊嵌するための溝である。ストッパ１３８は、突起部１２１ａを係止させてシャフト１２Ａの回転を規制するため底部１３１から上方に略直角に折り曲げられた箇所である。図１２（ａ）に示すように、突起部１２１ａがガイド部１３７の上方の端部に位置しているため、シャフト１２Ａはこれ以上突起部１２１ａを回転操作部１２４側から見て反時計回り方向に回転することはできない。図１２（ｂ）に示すように、突起部１２１ａがストッパ１３８に係止しているため、シャフト１２Ａはこれ以上回転操作部１２４側から見て時計回り方向に回転することはできない。このようにガイド部１３７及びストッパ１３８を設けることにより、シャフト１２Ａの回転を規制することができる。
【００６４】
調整軸貫通孔１３９は、図９に示すスライド機構１４０の調整棒部材１４３を貫通するための孔である。スライド機構１４０は、ベース１３Ａを前面側から見て前後方向にスライドさせることにより、固定板１４上でベース１３Ａがスライドし、それに伴って第２のユニット２０Ａ及び上板材４１がスライドすることで遊技台４０の傾斜角度を調整することを可能にし、その結果、盤面４５ａの傾斜角度を調整可能にするためのものである。スライド機構１４０は、係止ピン１４１，１４２と、調整棒部材１４３と、回転部(操作部)１４４とを備えている。係止ピン１４１，１４２は、ベース１３Ａを固定板１４上に移動可能に設置するための係止具である。調整棒部材１４３は、側面部分にねじ切りが施され、調整軸貫通孔１３９を貫通して回転することでベース１３Ａをスライドさせるための円筒状部材である。回転部１４４は、調整棒部材１４３を回転させるための部材である。これにより、回転部１４４を治具等で回転操作することにより、係止ピン１４１，１４２の移動可能な範囲内において、固定板１４上でベース１３Ａをスライドさせりことができる。
【００６５】
次に、このような遊技台島１における遊技台４０の設置方法等について説明する。
【００６６】
図３に示すように、遊技台４０を遊技台島１に設置する場合における各部材の取り付け位置について説明する。
【００６７】
遊技台４０が設置される所定の位置に基づいて、遊技台島１の下板材５２に下枠固定装置３０Ａ，３０Ｂを固定する。なお、本実施例では遊技台島１に下板材５２が設けられているが、遊技台島１に下板材５２が無い場合、膳板５５等の遊技台４０の下板材４２が載置される箇所に下枠固定装置３０Ａ，３０Ｂを固定する。
【００６８】
遊技台４０の台枠４ａを構成する上板材４１の外側（例えば、図２では遊技台４０の上側）であって、上板材４１の遊技台４０の前面側（遊技者側）端面に、固定板１４の前面側端面を合わせて取り付ける。
【００６９】
遊技台４０に取り付けた第２のユニット２０Ａ，２０Ｂの被係合部２２Ａ，２２Ｂと、第１のユニット１０Ａ，１０Ｂの係合部１１Ａ，１１Ｂとが係合可能な位置で、且つ遊技台島１の島枠５ａを構成する上板材５１の遊技台４０とは反対側（例えば、図２では上板材５１の上側）に、第１のユニット１０Ａ，１０Ｂを取り付ける。
【００７０】
次に、遊技台４０を遊技台島１に設置する手順について説明する。
【００７１】
まず、遊技台４０の下板材４２を遊技台島１の下板材５２に載置し、遊技台島１の下板材５２に固定された下枠固定装置３０Ａ，３０Ｂの突き当て部（図示省略）に遊技台４０を突き当てて、所定の位置に遊技台４０を設置する。
【００７２】
次に、必要であれば、取付部８０のランプ板８１を取り外し、ランプ板８１に設けられた操作窓（図示省略）を開けて、図１０（ａ）に示す回転操作部１２４を操作冶具等で回転させて、係合部１１Ａ，１１Ｂを被係合部２２Ａ，２２Ｂに係合させ、遊技台島１に対して、遊技台４０の盤面４５ａに対して直交する前後方向の遊技台の移動を規制する。
【００７３】
係合部１１Ａ，１１Ｂ、被係合部２２Ａ，２２Ｂによる係合が行われた後、遊技台島１に設置された遊技台４０のパチンコ機本体４５を前面側に開き、被係合部２２Ａ，２２Ｂの近傍に設置されたレバー部２３２Ａ，２３２Ｂを動かし、押圧部２３３Ａ，２３３Ｂを係合部１１Ａ，１１Ｂに係合させて、左右方向の遊技台の移動を規制する。
【００７４】
その後、下枠固定装置３０Ａ，３０Ｂで台枠４ａを固定し、パチンコ機本体４５を閉め、必要により、スライド機構１４０を動作させて遊技台４０の傾斜角度を調整する。
【００７５】
なお、遊技台４０を遊技台島１に設置する場合、パチンコ機本体４５が取り付けられた状態で遊技台島１に取り付けても、遊技台４０の台枠４ａのみを先に遊技台島１に取り付けた後にパチンコ機本体４５を台枠４ａに取り付けてもよい。また、係合部１１Ａ，１１Ｂと被係合部２２Ａ，２２Ｂとの係合が行われた後、下枠固定装置３０Ａ，３０Ｂによる台枠４ａとの固定が行われたが、逆でもよい。
【００７６】
このような手順により、遊技台島１に対する遊技台４０の盤面に対する手前／奥行方向の移動を規制することができる。
【００７７】
以上のように、この遊技台規制装置２及び遊技台島１によれば、回転操作部１２４を回転させることで係合部１１Ａ，１１Ｂを被係合部２２Ａ，２２Ｂに係合させ、遊技台島１に対する遊技台４０の移動を容易に規制させ、または解除させることが可能になる。すなわち、遊技台規制装置２の回転操作によって、遊技台４０を遊技台島１に取り付け、または取り外しを容易としている。また、遊技台４０の台枠４ａに孔を設けたり、遊技台４０を上方から下方に向かって押圧したりしないので、遊技台４０の台枠４ａ及び遊技台島１の島枠５ａの劣化を防止することができる。
【００７８】
第２のユニット２０Ａ，２０Ｂは、遊技台４０の台枠４ａにおける上板材４１の前面側端面を基準に取り付けられるため、台枠４ａの大きさ、例えば、遊技台４０の盤面４５ａと直交する方向の台枠４ａの幅に影響されることがない。このため、パチンコ台のメーカにより異なるパチンコ台の台枠４ａの幅に関係なく、所定の位置で遊技台規制装置２の係合部１１Ａ，１１Ｂと被係合部２２Ａ，２２Ｂとを係合させることが可能となる。つまり、第２のユニット２０Ａ，２０Ｂの取り付け位置は、台枠４ａの幅に関係なく一様に容易な取り付けが可能となる。
【００７９】
さらに、係合ガイド部２２１Ａ，２２２Ａ，２２１Ｂ，２２２Ｂを設けたため、第１のユニット１０Ａ，１０Ｂ、または第２のユニット２０Ａ，２０Ｂの取り付け寸法の誤りや台枠４ａ、または島枠５ａの材料の変質等で相対的な位置が変化した場合であっても、係合部１１Ａ，１１Ｂを案内するため、スムースに係合することが可能となる。また、スライド機構１４０で調整することによって、取付位置の誤差を吸収することが可能となる。
【００８０】
次に、この発明の実施の形態１に係る遊技台規制装置２の変形例１について説明する。図１３ないし図１７は、この変形例１に係る第１のユニット６０及び第２のユニット７０を備えた例を示し、図１３は、第１のユニット６０及び第２のユニット７０を遊技台４０の盤面４５ａの右斜め前方から見た状態を示す拡大斜視図であり、図１４は、図１３の第１のユニット６０及び第２のユニット７０を盤面４５ａの右斜め後方から見た状態を示す拡大斜視図であり、図１５は、図１３の係合部６１が係合していないときに盤面４５ａの右斜め後方から見た状態を示す拡大斜視図であり、図１６は、図１３の係合部６１が係合していないときに盤面４５ａの正面下方から見た状態を示す拡大斜視図であり、図１７は、図１３の係合部６１が係合しているときに遊技台盤面の正面下方から見た状態を示す拡大斜視図である。なお、これらの図では、各部材の理解のため、一部部材の図示を省略している。
【００８１】
変形例１に係る遊技台規制装置２は、第１のユニット１０Ａ，１０Ｂ及び第２のユニット２０Ａ，２０Ｂに替えて、この変形例１に係る第１のユニット６０及び第２のユニット７０を備えた点で、実施の形態１と異なる。なお、第１のユニット６０及び第２のユニット７０は、第１のユニット１０Ａ，１０Ｂ及び第２のユニット２０Ａ，２０Ｂのように、遊技台島１の上板材５１及び遊技台４０の上板材４１の左右にそれぞれ一対取り付けられているが、略同様の構成であるため、遊技台盤面の正面から見て右側のものについて説明する。
【００８２】
第１のユニット６０は、主として係合部６１と、位置決め部６２と、板状部材（ベース）６３とから構成されている。係合部６１は、第２のユニット７０の、後述する被係合部７２と係合して遊技台４０を規制するための装置であり、留め金（ロック部材）６１１と、レバー６１２と、連結部６１３と、回動部材（挟持部材）６１４とを備えている。留め金６１１は、図１４、１５に示すように回動部材６１４を係止して固定するための部材であり、円柱状部材を折り曲げて略正方形になるように形成されている。レバー６１２は、図１４に示すように留め金６１１が回動部材６１４に係合された状態で引くことにより、留め金６１１を係止するための部材である。連結部６１３は、係合部６１を位置決め部６２に取り付けるための部材であり、図１５に示すように、位置決め部６２にネジで固定されている。回動部材６１４は、図１６、１７に示すように位置決め部６２との間に被係合部７２を挟持して固定するための部材であり、留め金６１１と係合されるように形成されている。この回動部材６１４の被係合部７２との当接面は、遊技台４０の上下方向における中央部が膨らむように湾曲して形成され、上下方向に溝が形成されている。留め金６１１、レバー６１２、連結部６１３、及び回動部材６１４は、例えば、ステンレス等の金属により形成されている。
【００８３】
位置決め部６２は、後述する被係合部７２が当接することにより、遊技台４０の位置決めを行うための部材であり、板状部材６３から延設されて逆Ｌ字型に形成されている。板状部材６３は、第１のユニット６０を遊技台島１の上板材５１に設置するための細板状の部材であり、図１４に示すように、溝６３１が形成されている。この溝６３１は、固定板１４に対して係止ピン６３２により左右方向には動かないように係止された状態で前後方向に移動可能にするために形成されたものである。位置決め部６２及び板状部材６３は、例えば、ステンレス等の金属により形成されている。
【００８４】
板状部材６３の固定板１４との係合箇所は、図１３に示すように、例えば金属製の板状部材が略方形に折り曲げられて形成されたカバー６４により覆われて、図１４に示すように、スライド機構６５が設けられている。スライド機構６５は、板状部材６３を盤面側から見て前後方向にスライドさせることにより、第２のユニット７０及び上板材４１がスライドすることで遊技台４０の傾斜角度を調整することを可能にし、その結果、盤面４５ａの傾斜角度を調整可能にするためのものであり、調整棒部材６５１と、ギヤ部６５２と、回転部(操作部)６５３，６５４とを備えている。調整棒部材６５１は、側面部分にねじ切りが施され、位置決め部６２の盤面４５ａ側に設けられた調整軸貫通孔６３３を貫通して回転することで板状部材６３をスライドさせるための円筒状部材である。ギヤ部６５２は、回転部６５３の回転を回転部６５３に対して垂直に設けられた調整棒部材６５１に伝達するためのかさ歯車である。回転部６５３，６５４は、調整棒部材６５１を回転させるための部材であり、遊技台４０の上方に設けられた回転部６５３、または盤面４５ａの正面側に設けられた回転部６５４のどちらでも遊技台４０の傾斜角度を調整できるようにするためのものである。これは、図３のランプ板８１が取り外し可能な場合と取り外し不可能な場合があり、取り外し不可能な場合は装飾部８２を開いて遊技台島１の上方から回転部６５３を回転させて遊技台４０の傾斜角度を調整するためである。
【００８５】
第２のユニット７０は、主として板状部材（プレート）７１と、被係合部７２とから構成されている。板状部材７１は、第２のユニット７０を遊技台４０の上板材４１に設置するための細板状の部材である。なお、第２のユニット７０は、遊技台島１へ遊技台４０を設置した状態では、遊技台島１の島枠５ａである上板材５１と、遊技台４０の台枠４ａである上板材４１との間に位置する。この板状部材７１は、板状部材６３よりも強度が弱く、すなわち撓むように弾性変形可能になるように、例えば、厚さが薄くなるように、例えば、ステンレス等の金属により形成されている。これは、スライド機構６５により遊技台４０の傾斜角度が調整されたときに、板状部材６３と板状部材７１との間に歪が生じるのを吸収するためである。
【００８６】
被係合部７２は、図１７に示すように、位置決め部６２に当接することで遊技台４０の位置決めを行い、位置決め部６２と回動部材６１４との間に挟持されることで係合部６１に係合される部材であり、板状部材７１から延設されて逆Ｌ字型に形成されている。この被係合部７２の回動部材６１４との当接面は、回動部材６１４と同様に、遊技台４０の上下方向における中央部が膨らむように湾曲して形成され、上下方向に溝が形成されている。これは、スライド機構６５により遊技台４０の傾斜角度が調整されたときに、第１のユニット６０は盤面４５ａに対して垂直方向に移動するが、第２のユニット７０は、遊技台４０の台枠４ａを遊技台島１に固定している下枠固定装置３０（の固定箇所）を中心に遊技台４０に対して遊技者側（手前側）または遊技台４０を挟んで遊技者と反対側（奥側）へ円弧を描くように移動しようとする。このため、第１のユニット６０と第２のユニット７０とが係合部６１で係合した状態でスライド機構６５を動作させると、スライド機構６５のスライドする距離に比例して係合部６１や被係合部７２に負荷が生じる。しかしながら、係合している回動部材６１４と被係合部７２とが遊技台４０の盤面４５ａと平行な上下方向にずれることにより、この負荷が遊技台規制装置２に、言い換えると、第１のユニットおよび第２のユニットにかかることを防止することができる。また、中央部が膨らむように湾曲して形成された当接面は、回動部材６１４と被係合部７２との両方に形成してもよいし、いずれか一方であってもよい。また、位置決め部６２と被係合部７２との当接面においても、両方またはいずれか一方に中央部が膨らむように湾曲した当接面が形成されてもよい。なお、回動部材６１４と被係合部７２との当接面や、位置決め部６２と被係合部７２との当接面が、互いに面接触する平坦な場合と比較して、少なくとも一方が中央部が膨らむように湾曲した面であると接触抵抗が低くなり、盤面４５ａと平行な上下方向にずれ易くなる。
【００８７】
次に、遊技台島１へ遊技台４０を設置する際、変形例１に係る遊技台規制装置２を使用した場合の手順について説明する。
【００８８】
まず、遊技台４０の下板材４２を遊技台島１の下板材５２に載置し、遊技台島１の下板材５２に固定された下枠固定装置３０Ａ，３０Ｂの突き当て部（図示省略）に遊技台４０の下板材４２を突き当てて、所定の位置に遊技台４０を設置する。その後、遊技台４０のパチンコ機本体４５を前面側に開き、台枠４ａ（の下板材４２）を下枠固定装置３０Ａ，３０Ｂで固定する。
【００８９】
次に、遊技台４０のパチンコ機本体４５を前面側に開いた状態で、遊技台島１の上板材５１に固定された第１のユニット６０の位置決め部６２に、遊技台４０の上板材４１に固定された第２のユニット７０の板状部材７１および／または被係合部７２を当接させた後、係合部６１の回動部材６１４を回動させて、被係合部７２を位置決め部６２と回動部材６１４とで挟持し、回動部材６１４へ留め金６１１を係合させる。この状態でレバー６１２を引くことにより、留め金６１１が回動部材６１４を係止し、位置決め部６２と回動部材６１４とで挟持された被係合部７２は、遊技台４０の前面側方向および裏面側方向への移動が規制される。なお、位置決め部６２と被係合部７２が当接する位置決め部６２の当接面と被係合部７２の当接面の少なくとも一方に、遊技台４０の上下方向に溝が形成されている場合には、溝が形成される一方が他方の当接面に食い込むため、遊技台４０の左右方向に対する移動を規制することが可能となる。また、両方の当接面に溝が形成されている場合には、両方の溝が係合することによって、容易に係合可能となるため、遊技台４０の左右方向に対する移動を規制することが可能となる。
【００９０】
その後、パチンコ機本体４５を閉め、必要により、スライド機構６５を動作させて遊技台４０の傾斜角度を調整する。
【００９１】
なお、変形例１に係る遊技台規制装置２を使用する場合であっても、遊技台４０を遊技台島１に設置する際に、パチンコ機本体４５が取り付けられた状態で遊技台島１に取り付けても、遊技台４０の台枠４ａのみを先に遊技台島１に取り付けた後にパチンコ機本体４５を台枠４ａに取り付けてもよい。また、係合部６１と被係合部７２との係合が行われた後、下枠固定装置３０Ａ，３０Ｂによる台枠４ａとの固定を行ってもよい。
【００９２】
以上のように、この遊技台規制装置２の変形例１によれば、第１のユニット６０及び第２のユニット７０を備えたことにより、遊技台島１に対する遊技台４０の移動を容易に規制させ、または解除させることが可能になる。
【００９３】
また、この発明の実施の形態１に係る遊技台規制装置２の変形例２について説明する。図１８は、この変形例２に係る遊技台規制装置２Ａにおける係合部１１ａ及び被係合部２２ａを示す斜視図である。変形例２に係る遊技台規制装置２は、実施の形態１に係る遊技台規制装置２と同様の構成であるが、係合部１１Ａ，１２Ａ及び被係合部２２Ａ，２２Ｂに替えて、係合部１１ａ及び被係合部２２ａを備えた点で、実施の形態１と異なる。
【００９４】
係合部１１ａは、棒状の金属部材を屈曲させて鉤爪状に形成したものであり、一端がシャフト１２Ａの連接部１２２に設けられた孔に貫通して取り付けられ、他端は連接部１２２に向かって広がるようにテーパ部が形成されている。被係合部２２ａは、係合部１１ａが貫通して係合するためにプレート２１に穿孔された孔である。係合部１１ａは、シャフト１２Ａが所定の位置（第１位置）のときには被係合部２２ａに係合していない状態であり、シャフト１２Ａが所定の位置（第２位置）、例えば９０°回転した状態で被係合部２２ａに係合するように形成されている。このように、係合部１１ａを鉤爪状に、被係合部２２ａを孔状に形成し、シャフト１２Ａの回転により被係合部２２ａに係合するように形成してもよい。なお、被係合部２２ａは、完全に貫通された孔ではなく、プレート２１に凹状に形成して係合部１１ａを係合させてもよい。
【００９５】
さらに、この発明の実施の形態１に係る遊技台規制装置２の変形例３について説明する。図１９は、この変形例３に係る遊技台規制装置２Ａにおける係合部１１ｂ及び被係合部２２ｂを示す斜視図である。変形例３に係る遊技台規制装置２は、実施の形態１に係る遊技台規制装置２と同様の構成であるが、係合部１１Ａ，１２Ａ及び被係合部２２Ａ，２２Ｂに替えて、係合部１１ｂ及び被係合部２２ｂを備えた点で、実施の形態１と異なる。
【００９６】
係合部１１ｂは、ピン状の金属部材であり、係合部１１ｂを進退自在に移動させる駆動部１２３ｂを介して連結部１２２に設けられている。駆動部１２３ｂは、例えば、バネ、ソレノイド、またはモータ等により構成されている。シャフト１２Ａの回転を契機に駆動部の動作スイッチを動作させてピン状の金属部材が突出するように動作する。このピン状の金属部材は連接部１２２に向かって広がるようにテーパ部が形成されている。被係合部２２ｂは、係合部１１ｂが貫通して係合するためにプレート２１に穿孔された孔である。係合部１１ｂと被係合部２２ｂとが係合するときには、係合部１１ｂに形成されたテーパ部とプレート２１に形成された孔が係合しても良く、係合部１１ｂが円柱状であって、この円柱状の円周部で被係合部２２ｂと係合しても良い。係合部１１ｂは、シャフト１２Ａが所定の位置（第１位置）のときは、駆動部の動作スイッチがＯＦＦであってピン状の金属部材が突出していない状態であり、シャフト１２Ａが所定の位置（第２位置）、例えば９０°回転した状態で駆動部の動作スイッチがＯＮとなり、ピン状の金属部材が突出して被係合部２２ｂに係合するように形成されている。このように、係合部１１ｂをピン状の金属部材が突出するように、被係合部２２ｂを孔状に形成し、シャフト１２Ａの回転により被係合部２２ｂに係合するように形成してもよい。このように構成すると、ピン状の金属部材である係合部１１ｂのテーパ部で係合する場合であっても、または円柱状の円周部で係合する場合であっても、少なくとも遊技台４０の盤面４５ａに対して前後左右方向の移動を規制することが可能となり、テーパ部と孔が係合する場合は、上下方向の遊技台の移動を規制することも可能となる。なお、変形例１に係る被係合部２２ａと同様に、被係合部２２ｂは、完全に貫通された孔ではなく、プレート２１に凹状に形成して係合部１１ｂを係合させてもよい。また、係合部１１ｂをピン状の金属部材とし、被係合部２２ｂを係合部１１ｂが貫通するためにプレート２１に穿孔された孔としたが、係合部１１ｂを断面略Ｖ字型の横長三角柱状に形成して上下方向に溝を設け、被係合部２２ｂを係合部１１ｂが嵌合するように断面略逆Ｖ字型の横長三角状に穿孔された孔または凹部としてもよい。
【００９７】
（実施の形態２）
図２０は、この発明の実施の形態２に係る遊技台規制装置２Ａにおける第１のユニット１０Ｃ及び第２のユニット２０Ｃを示す斜視図である。実施の形態２に係る遊技台規制装置２は、実施の形態１に係る遊技台規制装置２と同様の構成であるが、第１のユニット１０Ａ，１０Ｂ及び第２のユニット２０Ａ，２０Ｂに替えて、第１のユニット１０Ｃ及び第２のユニット２０Ｃを備えた点で、実施の形態１と異なる。
【００９８】
第１のユニット１０Ｃは、例えば、金属部材が略コの字型に折り曲げられて上板材５１に取り付けられた第１の板状部材であり、基端部１１Ｃと、延設部１２Ｃと、先端部１３Ｃと、係合部１４Ｃとを有している。基端部１１Ｃは、略コの字型に折り曲げられた第１の板状部材の一端を上板材５１に取り付けた箇所である。延設部１２Ｃは、基端部１１Ｃから折り曲げられて延設された箇所である。先端部１３Ｃは、延設部１２Ｃにおける基端部１１Ｃとの接続箇所と反対側に折り曲げられて延設された箇所である。係合部１４Ｃは、先端部１３Ｃにおける延設部１２Ｃとの接続箇所と反対側に略コの字状に形成された、後述する被係合部との係合部材である。
【００９９】
第２のユニット２０Ｃは、例えば、金属板により形成されて上板材４１に取り付けられた第２の板状部材であり、被係合部（突出部）２１Ｃが設けられている。被係合部２１Ｃは、係合部１４Ｃに係合される箇所であり、第２のユニット２０Ｃから下方向に突出して設けられた円柱型のピンである。なお、被係合部２１Ｃの形状は円柱状に限られず、円錐状、角柱状等、他の形状であってもよい。
【０１００】
係合部１４Ｃに被係合部２１Ｃが挿入されて係合された際に、被係合部２１Ｃが係合部１４Ｃによって形成される係合空間から外れないようにするために、第１のユニット１０Ｃには、図２１（ａ１）〜（ｄ４）に示すように、種々のロック機構が設けられている。
【０１０１】
図２１（ａ１）、（ａ２）は、回動レバー（ロック機構）１５Ｃが設けられ、被係合部２１Ｃが係合される前の状態を示す模式図（ａ１）、及び被係合部２１Ｃが係合された後の状態を示す模式図（ａ２）である。回動レバー１５Ｃは、第２のユニット２０Ｃに対して直交する方向であって第２のユニット２０Ｃから下方向に突出した被係合部２１Ｃと平行に設けられた回転軸（図示省略）を中心に回動するように係合部１４Ｃの入口付近に取り付けられている。図２１（ａ１）に示す状態から被係合部２１Ｃを矢印Ｘ２方向に挿入すると、被係合部２１Ｃからの押圧力により回動レバー１５Ｃが係合空間の内部方向に回動する。被係合部２１Ｃが奥まで挿入されると、被係合部２１Ｃからの押圧力が解除されて図示しない付勢部材の付勢力によって回動レバー１５Ｃが元の位置に戻り、図２１（ａ２）に示す状態になる。これにより、被係合部２１Ｃが係合空間から外れなくなる。なお、付勢部材は回動レバー１５Ｃが元の位置に戻る機能を有するものであれば良く、例えば、板バネやつるまきバネ等で構成してもよい。
【０１０２】
図２１（ｂ１）、（ｂ２）は、スライド部（ロック機構）１６Ｃが設けられ、被係合部２１Ｃが係合される前の状態を示す模式図（ｂ１）、及び被係合部２１Ｃが係合された後の状態を示す模式図（ｂ２）である。スライド部１６Ｃは、被係合部２１Ｃの進行方向に対して直交する左右方向にスライドするように係合部１４Ｃの入口付近に取り付けられている。図２１（ｂ１）に示す状態から被係合部２１Ｃを矢印Ｘ３方向に挿入すると、スライド部１６Ｃが矢印Ｙ１方向にスライドして開くように設けられている。被係合部２１Ｃが奥まで挿入されると、スライド部１６Ｃが矢印Ｙ２方向にスライドして元の位置に戻り、図２１（ｂ２）に示す状態になる。スライド部１６Ｃは、スライドさせるスライド駆動部（図示省略）によって動作する。これにより、被係合部２１Ｃが係合空間から外れなくなる。
【０１０３】
図２１（ｃ１）、（ｃ２）は、ローラ部１７Ｃ，１７Ｄが設けられ、被係合部２１Ｃが係合される前の状態を示す模式図（ｃ１）、及び被係合部２１Ｃが係合された後の状態を示す模式図（ｃ２）である。ローラ部１７Ｃ，１７Ｄは、第２のユニット２０Ｃに対して直交する方向であって第２のユニット２０Ｃから下方向へ突出した被係合部２１Ｃと平行に設けられた回転軸（図示省略）を中心に回動するように係合部１４Ｃの入口付近に取り付けられている。図２１（ｃ１）に示す状態から被係合部２１Ｃを矢印Ｘ４方向に挿入すると、被係合部２１Ｃからの押圧力によりローラ部１７Ｃ，１７Ｄが回動するとともに先端部１３Ｃに矢印Ｙ３，Ｙ４方向に押圧されてローラ部１７Ｃとローラ部１７Ｄとの間が開く。被係合部２１Ｃが奥まで挿入されると、被係合部２１Ｃからの押圧力が解除されてローラ付勢部（図示省略）の付勢力によってローラ部１７Ｃとローラ部１７Ｄとが矢印Ｙ５，Ｙ６方向に戻り、図２１（ｃ２）に示す状態になる。これにより、被係合部２１Ｃが係合空間から外れなくなる。
【０１０４】
図２１（ｄ１）〜（ｄ４）は、ばね（スライド付勢部）１８Ｃが設けられて係合部１４Ｃがスライドし、被係合部２１Ｃが係合される前の状態を示す模式図（ｄ１）、被係合部２１Ｃが手前に挿入された状態を示す模式図（ｄ２）、被係合部２１Ｃが奥に挿入された状態を示す模式図（ｄ３）、及び被係合部２１Ｃが係合された後の状態を示す模式図（ｄ４）である。ばね１８Ｃは、係合部１４Ｃの側面に設けられ、係合部１４Ｃがスライドするように構成されている。また、係合部１４Ｃによって形成される係合空間は、左壁面１４Ｃ１、右壁面１４Ｃ２、及び奥壁面１４Ｃ３から構成され、右壁面１４Ｃ２は、入口から奥壁面１４Ｃ３に対して狭くなるような傾斜が所定箇所まで形成されている。図２１（ｄ１）に示す状態から被係合部２１Ｃを矢印Ｘ５方向に挿入すると、被係合部２１Ｃが右壁面１４Ｃ２の傾斜部分に接触して図２１（ｄ２）に示す状態になる。被係合部２１Ｃをさらに挿入すると、被係合部２１Ｃが右壁面１４Ｃ２の傾斜部分を押圧し、その押圧力により係合部１４Ｃが矢印Ｙ７方向にスライドし、図２１（ｄ３）に示す状態になる。その後、被係合部２１Ｃが奥壁面１４Ｃ３に接触すると、被係合部２１Ｃからの押圧力が解除されて係合部１４Ｃが矢印Ｙ８方向にスライドして元の位置に戻り、図２１（ｄ４）に示す状態になる。これにより、被係合部２１Ｃが係合空間から外れなくなる。なお、右壁面１４Ｃ２に設けた傾斜は、左壁面１４Ｃ１に設けてもよい。また、被係合部１４Ｃがスライドする場合の他に、図２１（ｄ１）〜（ｄ４）のように動作するロック機構が別部材で設けられ、被係合部１４Ｃに重ねて配置されてもよい。
【０１０５】
以上のように、この遊技台規制装置２及び遊技台島１によれば、係合部１４Ｃ及び被係合部２１Ｃを備え、係合部１４Ｃと被係合部２１Ｃとの係合により被係合部２１Ｃを規制するので、容易に遊技台４０の移動を規制させ、またはその規制を解除させることが可能になる。
【０１０６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、遊技台規制装置２Ａ，２Ｂを上板材５１及び上板材４１に設けたが、右板材５３または左板材５４、及び右板材４３または左板材４４に設けても良く、下枠固定装置３０Ａ，３０Ｂに替えて遊技台規制装置２Ａ，２Ｂを下板材５２及び下板材４２に設けてもよい。
【０１０７】
また、第１のユニット１０Ａ，１０Ｂ，１０Ｃ，６０、第２のユニット２０Ａ，２０Ｂ，２０Ｃ，７０は、遊技台４０を規制することが可能な構成であれば、他の構成にしてもよい。
【０１０８】
第１のユニット１０Ａ，１０Ｂ，１０Ｃ，６０、第２のユニット２０Ａ，２０Ｂ，２０Ｃ，７０は、各ユニットが有する取付部によって、遊技台島１の島枠５ａの上板材５１、または遊技台４０における台枠４ａの上板材４１に取り付けるため、木製であるか金属製であるかを問わず、各部材に適した取付方法を使用することが可能となる。例えば、ねじや釘によって固定してもよく、接着材を使用してもよい。また、台枠４ａへ取り付けられる第２のユニットは一体成型されたものであってもよい。
【０１０９】
さらに、この発明の実施の形態２におけるロック機構は、例示した上記の実施の形態に限られず、例えば、被係合部２１Ｃを緩く嵌合する緩嵌合部材で形成してもよい。
【符号の説明】
【０１１０】
１                                遊技台島
２                                遊技台規制装置
４ａ                              台枠
５ａ                              島枠
１０，１０Ａ，１０Ｂ，１０Ｃ      第１のユニット
１１Ａ，１１Ｂ，１１ａ，１１ｂ    係合部
１２Ａ，１２Ｂ                    シャフト（軸部材）
１３Ａ，１３Ｂ                    ベース
１４Ｃ                            係合部
１４Ｃ１                          左側縁
１４Ｃ２                          右側縁
１４Ｃ３                          奥側縁
１５Ｃ                            回動レバー（ロック機構）
１６Ｃ                            スライド部（ロック機構）
１７Ｃ，１７Ｄ                    ローラ部（ロック機構）
１２１ａ                          突起部
１２１ｂ                          凸部
１２５                            カム（第１の摺設部材）
１２６                            カム（第２の摺設部材）
１３７                            ガイド部
１４０                            スライド機構
２０，２０Ａ，２０Ｂ，２０Ｃ      第２のユニット
２１Ａ，２１Ｂ                    プレート
２１Ｃ                            被係合部
２２Ａ，２２Ｂ，２２ａ，２２ｂ    被係合部
２３Ａ，２３Ｂ                    押圧機構
２３１Ａ，２３１Ｂ                押圧機構本体部（本体部）
２３２Ａ，２３２Ｂ                レバー部
２３３Ａ，２３３Ｂ                押圧部
４０                              遊技台
４５                              パチンコ機本体
４５ａ                            盤面
６０                              第１のユニット
６１                              係合部
６１１                            留め金（ロック部材）
６１２                            レバー
６１３                            連結部
６１４                            回動部材（挟持部材）
６２                              位置決め部
６３                              板状部材（ベース）
６４                              カバー
６５                              スライド機構
６５１                            調整棒部材
６５２                            ギヤ部
６５３，６５４                    回転部(操作部)
７０                              第２のユニット
７１                              板状部材（プレート）
７２                              被係合部
【図１】
2017029685.tif 000003
【図２】
2017029685.tif 000004
【図３】
2017029685.tif 000005
【図４】
2017029685.tif 000006
【図５】
2017029685.tif 000007
【図６】
2017029685.tif 000008
【図７】
2017029685.tif 000009
【図８】
2017029685.tif 000010
【図９】
2017029685.tif 000011
【図１０】
2017029685.tif 000012
【図１１】
2017029685.tif 000013
【図１２】
2017029685.tif 000014
【図１３】
2017029685.tif 000015
【図１４】
2017029685.tif 000016
【図１５】
2017029685.tif 000017
【図１６】
2017029685.tif 000018
【図１７】
2017029685.tif 000019
【図１８】
2017029685.tif 000020
【図１９】
2017029685.tif 000021
【図２０】
2017029685.tif 000022
【図２１】
2017029685.tif 000023